(57)【要約】【課題】パネル脱着容易なフェンスを提供すること。【解決手段】  地上に間隔をおいて立設した２本の各支柱８の上下２箇所に、ブラケット１５，１６が同一方向に取り付けられると共に、上下の胴縁３，５の間に面材７が接合されたフェンスパネル１が前記ブラケット１５，１６に取り付け取り外し可能とされている。前記上下のブラケット１５，１６が、支柱８を前後方向に貫通する水平部１７とその水平部前面先端から上方に伸びる縦部分１８とを備えたＬ字形部材１９で構成され、上下のブラケット１５，１６における上方に伸びた縦部分１８の先端に前記フェンスパネル１の上下の胴縁３，５が固定されている。【選択図】図６
2008163600.tif 000002
【特許請求の範囲】
【請求項１】
地上に間隔をおいて立設した２本の各支柱の上下２箇所に、ブラケットが同一方向に取り付けられると共に、上下の胴縁の間に面材が接合されたフェンスパネルが前記ブラケットに取り付け取り外し可能とされていることを特徴とするパネル脱着容易なフェンス。
【請求項２】
前記上下のブラケットが、支柱を前後方向に貫通する水平部とその水平部前面先端から上方に伸びる縦部分とを備えたＬ字形部材で構成され、上下のブラケットにおける上方に伸びた縦部分の先端に前記フェンスパネルの上下の胴縁が設置されていることを特徴とする請求項１記載のパネル脱着容易なフェンス。
【請求項３】
前記フェンスパネルの上部の胴縁が下向き面に溝を有し、下部の胴縁が上向き面に溝を有して、面材はその左右両側部を枠材に接合し、前記枠材の上下両端部が前記胴縁の前記各溝にそれぞれ挿入されて接合され、
上下の各胴縁におけるブラケットに掛け止めされる部分の間に、面材が接合されていることを特徴とする請求項１または２記載のパネル脱着容易なフェンス。
【請求項４】
前記上部のブラケットの上方に向かった縦部分の先端部に胴縁受け用湾曲板材を有し、湾曲板材の上面に棒状部材が立設して設けられ、
前記下部のブラケットの上方に向かった縦部分の先端部に胴縁受け湾曲板材を有し、この湾曲板材にボルト挿通孔が設けられ、
前記棒状部材が、上部胴縁の溝に挿入され、
前記下部のブラケットに設けた胴縁受け湾曲板材のボルト挿通孔と、下部胴縁に設けられたネジ孔が一致した状態でボルト止めされていることを特徴とする請求項１〜３記載のパネル脱着可能フェンス。
【請求項５】
フェンスパネルの面材が垂直方向において、湾曲面とされていることを特徴とする請求項１〜４のいずれかに記載のパネル脱着容易なフェンス。
【請求項６】
前記湾曲面がブラケットの張り出し側からその反対側の歩道側に向かって凸に湾曲していることを特徴とする請求項５に記載のパネル脱着容易なフェンス。
【請求項７】
前記フェンスパネルの下部胴縁に設けられたネジ孔が、下部胴縁の両端近傍に、それぞれ１個のみ設けられて、該ネジ孔を通してブラケットとフェンスパネルが２個のボルトで接合されていることを特徴とする請求項４に記載のパネル脱着容易なフェンス。
【請求項８】
前記面材が、その左右両端部に固定の枠材と該板材間に接合された網材からなり、枠材と網材が共に同じ方向に湾曲されていることを特徴とする請求項１〜７のいずれかに記載のパネル脱着容易なフェンス。
【請求項９】
面材が金属製網からなることを特徴とする請求項１〜８のいずれかに記載のパネル脱着容易なフェンス。
【請求項１０】
胴縁受け用湾曲板材は、上面側が凹状の胴縁受け用湾曲板材であることを特徴とする請求項４に記載のパネル脱着容易なフェンス。
【発明の詳細な説明】
【技術分野】
【０００１】
本発明は、車道と歩道との境界あるいは道路と宅地との境界等に設置されるフェンス、特にパネル脱着容易なフェンスに関する。
【背景技術】
【０００２】
これまで歩道と車道の境界に設置されるフェンスは、パネルの部分が支柱から取り外して使用される構造にはなっておらず、パネルが破損した場合に、支柱と接合しているボルトを外して、パネルを取り替える構造とされていた。（例えば、特許文献１，２，３参照）
【特許文献１】実開平４−３１２９５号公報
【特許文献２】実開平４−３１２９６号公報
【特許文献３】特開平１０−２５９６０５号公報
【発明の開示】
【発明が解決しようとする課題】
【０００３】
これまでのフェンスは、フェンスパネルを簡単に取り外して使用できる構造にはなっていなかった。したがって、災害時にフェンスパネルを担架に活用するということができなかった。
本発明は、前記の課題を解消することができ、容易に取付け取り外しが可能で、負傷者あるいは通常時において緊急を要する病人を搬送する担架として使用可能なパネルを備えたパネル脱着容易なフェンスを提供することを目的とする。
【課題を解決するための手段】
【０００４】
前記の課題を有利に解決するために、第１発明のパネル脱着容易なフェンスにおいては、地上に間隔をおいて立設した２本の各支柱の上下２箇所に、ブラケットが同一方向に取り付けられると共に、上下の胴縁の間に面材が接合されたフェンスパネルが前記ブラケットに取り付け取り外し可能とされていることを特徴とする。
第２発明では、第１発明のパネル脱着容易なフェンスにおいて、前記上下のブラケットが、支柱を前後方向に貫通する水平部とその水平部前面先端から上方に伸びる縦部分とを備えたＬ字形部材で構成され、上下のブラケットにおける上方に伸びた縦部分の先端に前記フェンスパネルの上下の胴縁が設置されていることを特徴とする。
第３発明では、第１発明または第２発明のパネル脱着容易なフェンスにおいて、前記フェンスパネルの上部の胴縁が下向き面に溝を有し、下部の胴縁が上向き面に溝を有して、面材はその左右両側部を枠材に接合し、前記枠材の上下両端部が前記胴縁の前記各溝にそれぞれ挿入されて接合され、上下の各胴縁におけるブラケットに掛け止めされる部分の間に、面材が接合されていることを特徴とする。
第４発明では、第１発明〜第３発明のいずれかのパネル脱着可能フェンスにおいて、
前記上部のブラケットの上方に向かった縦部分の先端部に胴縁受け用湾曲板材を有し、湾曲板材の上面に棒状部材が立設して設けられ、前記下部のブラケットの上方に向かった縦部分の先端部に胴縁受け湾曲板材を有し、この湾曲板材にボルト挿通孔が設けられ、前記棒状部材が、上部胴縁の溝に挿入され、前記下部のブラケットに設けた胴縁受け湾曲板材のボルト挿通孔と、下部胴縁に設けられたネジ孔が一致した状態でボルト止めされていることを特徴とする。
第５発明では、第１発明〜第４発明のいずれかのパネル脱着可能フェンスにおいて、フェンスパネルの面材が垂直方向において、湾曲面とされていることを特徴とする。
第６発明では、第５発明のパネル脱着容易なフェンスにおいて、前記湾曲面がブラケットの張り出し側からその反対側の歩道側に向かって凸に湾曲していることを特徴とする。
第７発明では、第４発明のパネル脱着容易なフェンスにおいて、前記フェンスパネルの下部胴縁に設けられたネジ孔が、下部胴縁の両端近傍に、それぞれ１個のみ設けられて、該ネジ孔を通してブラケットとフェンスパネルが２個のボルトで接合されていることを特徴とする。
第８発明では、第１発明〜第７発明のいずれかのパネル脱着可能フェンスにおいて、前記面材が、その左右両端部に固定の板材と該板材間に接合された網材からなり、板材と網材が共に同じ方向に湾曲されていることを特徴とする。
第９発明では、第１発明〜第８発明のいずれかのパネル脱着可能フェンスにおいて、面材が金属製網からなることを特徴とする。
第１０発明では、第４発明のパネル脱着容易なフェンスにおいて、胴縁受け用湾曲板材は、上面側が凹状の胴縁受け用湾曲板材であることを特徴とする。
【発明の効果】
【０００５】
本発明によると、次のような効果が得られる。
第１に、フェンスパネルを支柱のブラケットから簡単に取り外すことができる。また、取り付けも簡単容易である。
第２に、フェンスパネルを支柱のブラケットに取付けた状態で確実に固定できる。
第３に、面材が湾曲しているので、災害時に取り外して担架として使用することができ、負傷者を安定した状態で乗せて運ぶことができる。
第４に、フェンスパネルのボルトによる固定作業は、下部の胴縁だけでよいので、フェンスパネルの取付けおよび取り外しが簡単容易である。また、胴縁受け湾曲板材により、フェンスパネルを支承するようにしているので、胴縁を確実に支承することができる。
第５に、フェンスパネルを取り外して担架として使用する場合、面材は水平方向での湾曲となるため、人搬送状態では、手持ち把持部に対して、水平な平坦面の板材に比べて、重心を下げることができ、そのため人の搬送時に、安定した状態で搬送することができる。
第６に、前記湾曲面がブラケットの張り出し側からその反対側の歩道側に向かって凸に湾曲しているので、車道側に湾曲した面材が張り出すことがない。
第７に、ブラケットとフェンスパネルとを２個のボルトで接合するので、２個のボルトのみ取り外すことにより簡単にフェンスパネルを取り外すことができる。
第８に、面材が、その左右両端部に固定の枠材と該枠材間に接合された網材からなり、枠材と網材が共に同じ方向に湾曲されていると、網材端部の枠材をも有効に面材として利用して網材端部を補剛しながら支持面を拡大することができる。
第９に、面材が金属製網からなるので、市販のエキスパンドメタル等の安価な金属製網を使用してフェンスパネルを安価に製作することができ、曲面状に製作することも容易である。
第１０に、胴縁受け用湾曲板材は、上面側が凹状の胴縁受け用湾曲板材であるので、フェンスパネルにおける上下の胴縁を、胴縁受け用湾曲板材の中央部にガイドすることができ、フェンスパネルの位置決めも容易である。
【発明を実施するための最良の形態】
【０００６】
次に、本発明を図示の実施形態に基づいて詳細に説明する。
【０００７】
図１から図２は、本発明の一実施形態のパネル脱着容易なフェンスに使用されるフェンスパネル１を示すものであって、前記のフェンスパネル１は、断面一部切欠円環状の鋼製の上下の胴縁３，５を備え、下面側に部材長手方向に延長するスリットからなる下向き開口の溝２を有する上部の胴縁３と、これに間隔をおいて対向するように対称に配置され、前記上部の胴縁３と同じ材料からなり、上面側に部材長手方向に延長するスリットからなる上向き開口の溝４を有する下部の胴縁５とを備えている。
【０００８】
また、前記の上部の胴縁３と下部の胴縁５の各々の溝２，４に、面材７および枠材６の上下端部がそれぞれ挿入されて溶接などにより接合されている。
前記の面材７をエキスパンドメタルにより構成する場合で、エキスパンドメタルを製作する場合に、左右方向の両端部に、所要幅の板材を形成するようにして、エキスパンドメタルを製作し、前記の板材を、フェンスパネル１における左右方向の両端部の枠材６に、溶接等により固定するようにしてもよい。
【０００９】
鋼板からなる前記の枠材６および面材７は、共に同じ方向に湾曲しており、垂直方向で、歩道側に凸状の湾曲面９とされ、車道側で凹状の湾曲面１０の表裏となるように形成されている。面材７の横方向は、同じ湾曲面１０とされている。枠材６および面材７が共に同じ方向に湾曲していると、また、後記するように、面材７が金属製網材である場合に、その端部の枠材６をも有効に面材の一部として利用でき、しかも網材端部を補剛しながら支持面を拡大することができる。負傷者あるいは緊急時における人を搬送する担架として利用するために、前記フェンスパネル１を支柱８から取り外して、水平にした状態でフェンスパネル１における前記の湾曲面１０に、負傷者・病人等の人を乗せて搬送する場合に、湾曲面１０としていることにより、平坦面に比べて、湾曲面１０の広範な支持部により支承して、人に作用する押圧力が小さくなるように構成されている。また、湾曲面１０としていることにより、人を乗せて搬送する場合に、平坦面に比べて、手持ち把持部１１に対する担架搬送時における全体の重心の位置を下げることができ安定性がよい。
【００１０】
前記の左右両端部近傍の枠材６間より外側の各上部の胴縁３の両端部および各下部の胴縁５の両端部は、フェンスパネル１に負傷者あるいは病人を乗せて、負傷者あるいは病人を搬送するための搬送者用の手持ち把持部１１とされている。前記の各胴縁３，５の両端部には、それぞれ、金属製等のキャップ１２の差込部が胴縁３，５に嵌合固定されている。
【００１１】
上部の胴縁３の下面側の溝２は、胴縁３と一体に屈曲形成され間隔をおいて平行に対向するように形成された内向きリブ３６間と、胴縁３の内側空間とにより形成され、同様に、下部の胴縁５の上面側の溝４は、胴縁５と一体に屈曲形成され間隔をおいて平行に対向するように形成された内向きリブ３７間と、胴縁５の内側空間とにより形成されている。前記の内向きリブ３６間に配置される後記する上向き突起２２により、上部の胴縁３は前後方向（内向きリブ３６相互を結ぶ方向）の位置が拘束される。
【００１２】
下部の胴縁５における両端部の下面側には、ボルト挿通孔１３がそれぞれ１つのみ設けられ、かつ前記ボルト挿通孔１３とほぼ同心状に、胴縁５内側に、ボルト軸部ねじ込み用のナットからなる雌ネジ部材１４が溶接等により固定されている。図示の形態では、図７に示すように、下部の胴縁５のボルト挿通孔１３は、左右１個づつ、合計２のボルト２８によりフェンスパネル１は固定されている。
【００１３】
前記面材７としては、例えば、エキスパンドメタル等の金属製網材を使用するとよく、必要に応じ、エキスパンドメタルに樹脂被覆して、人に優しい面材としたり、あるいは樹脂被覆鋼線を編み組した金属製網材を使用するようにしてもよい。
【００１４】
次に、図７および図８を参照して、前記のフェンスパネル１を取付ける前の支柱８側の構成について説明する。
【００１５】
コンクリート製基礎２９により支柱８の下部が埋め込み固定され、このように固定された支柱８が、地上に間隔をおいて立設され、間隔をおいた２本の各支柱８の上下２箇所には、鋼製のブラケット１５，１６が同一方向に取り付けられている。
前記の鋼製の上下の各ブラケット１５，１６は、支柱８を前後方向（歩道幅方向）に貫通する水平部１７とその水平部前面先端から上方に伸びる縦部分１８とを備えたＬ字形部材１９で構成され、上下のブラケット１５，１６における上方に伸びた縦部分１８の先端部に、前記フェンスパネル１の上下の胴縁３，５が固定されている。
さらに説明すると、前記の各上部および下部のブラケット１５，１６は、鋼製杆体を本体としてなり、それぞれ、水平部１７とこれに一体に屈曲連設され上方に延長する縦部分１８とを備え、前記縦部分１８の先端部には、鋼製板材の幅方向を円弧状に湾曲加工された鋼製の胴縁受け用湾曲板材２０，２１を溶接等により固定して備えている。
【００１６】
上部の胴縁受け用湾曲板材２０の端部よりの上面側には、胴縁係止用の上向き突起２２が立設固定されている。図示の実施形態では、胴縁受け用湾曲板材２０にボルト挿通孔が設けられ、胴縁受け用湾曲板材２０の下面側から、ボルト軸部が挿通されると共に胴縁受け用湾曲板材２０の上面から立設され、また、ボルト頭部２３が溶接により胴縁受け用湾曲板材２０の下面側で固定されて胴縁係止突起２２が構成されている。
【００１７】
前記の胴縁係止用突起２２は、フェンスパネル１における端部を係止する上では、胴縁受け用湾曲板材２０に一つまたは間隔をおいて複数設けるようにしてもよい。
また、前記ボルトによる胴縁係止用突起２２に代えて、鋼製の棒状部材を立設してその基端部を胴縁受け用湾曲板材２０の上面側幅方向の中央に溶接等により固定するようにしてもよい。
【００１８】
下部の胴縁受け用湾曲板材２１の外側端部よりの位置に、前記のボルト挿通孔１３が設けられ、胴縁受け用湾曲板材２１の上面が凹状湾曲面とされ、断面ほぼ円形の胴縁５を安定した状態で支承可能にされている。前記のボルト挿通孔１３は、図９に示すように、胴縁受け用湾曲板材２１の上面に、下部の胴縁５を載置した状態で、図５および図６に示すように、胴縁受け用湾曲板材２１の下側から、ボルト２８の軸部を挿通して下部の胴縁５内に固定の雌ねじ部材１４にねじ込み固定するために使用される。
前記の水平部１７の中間部にはストッパ２６が設けられ、また水平部１７の後端部には雄ねじ部が設けられ、前記の水平部１７が支柱８に設けられた前後方向の横貫通孔に挿通配置されていると共に、背面側に配置された袋ナット２７により緊締されて、Ｌ字形部材１９は支柱８に固定されている。
【００１９】
図３から図６は、前記のようなフェンスパネル１における上部の胴縁３および下部の胴縁５を、歩道長手方向に間隔をおいて立設された支柱８における上部の胴縁受け用湾曲板材２０および下部の胴縁受け用湾曲板材２１にそれぞれ載置して設置した状態を示し、上部の胴縁３は上部の胴縁受け用湾曲板材２０に載置されて、胴縁係止用突起２２により前後方向に確実に移動しないように係止され、下部の胴縁５は下部の胴縁受け用湾曲板材２１に載置されて、下部の胴縁５内の雌ねじ部材１４にボルト２８によりねじ込み固定して掛け止められている。
【００２０】
フェンスパネル１における上部の胴縁３および下部の胴縁５を、支柱８側の上部の胴縁受け用湾曲板材２０および下部の胴縁受け用湾曲板材２１に設置する場合には、上部の胴縁３および下部の胴縁５を、それぞれ下部の胴縁受け用湾曲板材２１および上部の胴縁受け用湾曲板材２０よりも上方に位置させた状態で、上部の胴縁３における溝２に上部の胴縁受け用湾曲板材２０上の胴縁係止用突起２２を挿入した状態で、下部の胴縁５を下部の胴縁受け用湾曲板材２１に載置するように降下させる（図９参照）。この場合、上部の胴縁受け用湾曲板材２０および下部の胴縁受け用湾曲板材２１は、上に凹の湾曲面とされているので、各上下の胴縁３，５は、上下の胴縁受け用湾曲板材３，５の幅方向中央よりにガイドされて降下し、また、上部の胴縁３の下面から下部の胴縁５の下面までの寸法は、上部の胴縁受け用湾曲板材２０の上面から下部の胴縁受け用湾曲板材２１の上面までの寸法と、ほぼ同じか、僅かに小さくされているので、下部の胴縁５が下部の胴縁受け用湾曲板材２１に載置された状態で、上部の胴縁３が、上部の胴縁受け用湾曲板材２０から前後方向に離脱しないようにされていると共に、フェンスパネル１をブラケット１５，１６に取付けてボルト２８で締め付けた時、ガタ付きを生じさせることなく、確実に安定して取り付けることとができる。したがって、フェンスパネル１を自動的に、上下の胴縁受け用湾曲板材２０，２１に位置決めして載置し、フェンスパネル１をほぼ取り付け姿勢に近い状態で載置することができ、設置が容易にされている。
【００２１】
また、フェンスパネル１における下部の胴縁５側のみを、ボルト２８により固定するだけで設置が完了するので、ボルト２８の本数を少なくすることができ、図示の形態では、下部の胴縁５は左右の２本のボルト２８により固定する形態とされ、フェンスパネル１の取付が短時間で容易である。また、フェンスパネル１を取り外す場合も、前記の２本のボルト２８を取り外し、フェンスパネル１における上下の各胴縁３，５を、胴縁受け用湾曲板材２０，２１より若干上方に持ち上げれば、前側から取り外すことができ、したがって、短時間で容易に取り外して、担架として利用することができる。
【００２２】
なお、図４に示すように、各支柱８の一側部には、上下方向に間隔をおいて鋼板製の取付片３０が固定され、その取付け片３０に隣接するフェンス３１の端部に設けられた被取付け片３２が重合されて、ボルト３３により着脱可能に固定される。また、符号３４は歩道、３５は道路である。
【００２３】
本発明を実施する場合、面材７には、各種の金網を使用できる。
なお、本発明を実施する場合、下部胴縁５に設けたボルト挿通孔１３に代えて、ネジ孔としてもよく、胴縁受け用湾曲板材２１に設けるボルト挿通孔を長孔としておいてもよい。
【図面の簡単な説明】
【００２４】
【図１】本発明の一実施形態のパネル脱着容易なフェンスに使用されるフェンスパネルを示すものであって、（ａ）は正面図、（ｂ）は側面図である。
【図２】（ａ）は図１（ａ）のＡ−Ａ線断面図、（ｂ）は図１（ａ）のＢ−Ｂ線断面図である。
【図３】（ａ）は、本発明のパネル脱着容易なフェンスを、歩道の道路側近傍に設置した状態のフェンスを示す平面図、（ｂ）は（ａ）の正面図である。
【図４】図３（ａ）の拡大縦断側面図である。
【図５】図４における上部のブラケットと上部の胴縁、および下部のブラケットと下部の胴縁付近を拡大して示す一部切欠縦断側面図である。
【図６】図４における上部のブラケットと上部の胴縁、および下部のブラケットと下部の胴縁付近とフェンスパネルを含めて拡大して示す一部切欠縦断側面図である。
【図７】図３（ｂ）における下部の胴縁受け用湾曲板材と、下部の胴縁と、ボルトおよびボルト挿通孔との関係を示す一部切欠縦断正面図である。
【図８】（ａ）は、本発明のパネル脱着容易なフェンスにおけるフェンスパネルを、支柱から取り外した状態を示す平面図、（ｂ）は（ａ）の正面図である。
【図９】フェンスパネルを取り外した状態の支柱を示す側面図である。
【図１０】フェンスパネルにおける下部の胴縁を下部の胴縁受け用湾曲板材に載置した状態を示す一部縦断側面図である。
【符号の説明】
【００２５】
１  フェンスパネル
２  溝
３  上部の胴縁
４  溝
５  下部の胴縁
６  枠材
７  面材
８  支柱
９  湾曲面
１０  湾曲面
１１  手持ち把持部
１２  キャップ
１３  ボルト挿通孔
１４  雌ネジ部材
１５  上部のブラケット
１６  下部のブラケット
１７  水平部
１８  縦部分
１９  Ｌ字形部材
２０  上部の胴縁受け用湾曲板材
２１  下部の胴縁受け用湾曲板材
２２  上向き突起
２３  ボルト頭部
２５  ボルト挿通孔
２６  ストッパ
２７  袋ナット
２８  ボルト
２９  コンクリート基礎
３０  取付け片
３１  フェンス
３２  被取付け片
３３  ボルト
３４  歩道
３５  道路
３６  内向きリブ
３７  内向きリブ
【図１】
2008163600.tif 000003
【図２】
2008163600.tif 000004
【図３】
2008163600.tif 000005
【図４】
2008163600.tif 000006
【図５】
2008163600.tif 000007
【図６】
2008163600.tif 000008
【図７】
2008163600.tif 000009
【図８】
2008163600.tif 000010
【図９】
2008163600.tif 000011
【図１０】
2008163600.tif 000012